(57)【要約】【課題】、構造が単純で１個当たりの製造コストが嵩まない上後処理も容易で、しかも化学物質の捕集効率が良く発生部位の探索を容易にするものは従来無かった。【解決手段】支持具２１のベース部２３と閉鎖カバー３の本体５は磁性体で構成され、固定具は閉鎖カバー及び支持具の磁性体との間に磁気吸引作用を発生させる磁石２９で構成されており、閉鎖カバー３の本体５の外面と内面の対向する位置に磁石２９と支持具２１のベース部２３がそれぞれ当接されると、磁気吸引作用により支持具２１が閉鎖カバー３に固定され、しかも拡散サンプラー１５はその軸方向が閉鎖カバー３の開口部９に略平行に支持される。【選択図】        図１
2008170245.tif 000002
【特許請求の範囲】
【請求項１】
空気中に放散されている化学物質を拡散現象を利用して捕集する棒状の拡散サンプラーと、逆さカップ状をなし下端開口部が検出部位の平面に当接されると内部に三次元閉鎖空間を生成する閉鎖カバーと、前記サンプラーを支持する支持部と前記閉鎖カバーの内面に当接されるベース部を有する支持具と、前記支持具を前記閉鎖カバーの内面に対して当接した状態で固定する固定具とを備えた放散による化学物質の発生部位の探索装置において、
前記支持具のベース部と当該ベース部が当接される閉鎖カバー部分は磁性体で構成され、前記固定具は前記閉鎖カバー及び支持具の磁性体との間に磁気吸引作用を発生させる磁性体で構成されており、
前記閉鎖カバーの外面と内面の対向する位置に前記固定具と前記支持具がそれぞれ当接されると、磁気吸引作用により前記支持具が前記閉鎖カバーに固定され、しかも前記サンプラーはその軸方向が前記閉鎖カバーの開口部に略平行に支持されることを特徴とする探索装置。
【請求項２】
請求項１に記載した放散による化学物質の発生部位の探索装置において、固定具の磁性体は永久磁石で構成されていることを特徴とする探索装置。
【請求項３】
請求項１または２に記載した放散による化学物質の発生部位の探索装置において、支持具の支持部はベース部から略垂直に下方に延びる２つのアームを含み、サンプラーは前記アームにより着脱自在に吊り下げ支持されることを特徴とする探索装置。
【請求項４】
請求項３に記載した放散による化学物質の発生部位の探索装置において、アームの下端はループ状の吊り下げ用係止部となっており、棒状サンプラーはその係止部に着脱自在に挿通されて係止されることを特徴とする探索装置。
【発明の詳細な説明】
【技術分野】
【０００１】
本発明は、一般住宅の天井や側壁などから空気中に放散された化学物質の発生部位を探索するのに便利な装置に係り、特に、拡散サンプラーを利用して化学物質の発生部位を探索する装置に関するものである。
【背景技術】
【０００２】
従来から、一般住宅の天井や側壁などの建材には、人体に有害なホルムアルデヒド、アセトアルデヒドなどのカルボニル化合物や、トルエン、キシレンなどの揮発性有機化合物が含まれているものが使用されている場合がある。
最近の気密性の高い住宅では、これらの化学物質は室内の空気中に一旦放散されてしまうと、長く室内に浮遊してしまうことになる。
そのため、先ずそれら化学物質の発生部位を探索し、次に天井、側壁、床、家具等の発生部位に対応した低減化対策を採ることが求められている。
【０００３】
而して、従来は、吸引ポンプを利用して広い範囲の空気を吸引して空気中の化学物質を捕集していており、この方法では捕集された化学物質の発生部位を探索することは困難である。
また、公定法として、側壁などを構成する建材の小片をチャンバーに入れ、空気を当該チャンバーに連続的に送り込むことにより、その小片から放散された化学物質の同定と濃度測定をする方法が規定されているが、この方法ではチャンバーに送り込む空気の流量をポンプにより高度に制御しなければならず、装置が大掛かりになりコスト増を招くだけでなく、そもそも、一般住宅の壁材などの一部を切除して測定用の小片をつくることなどはできない。
【０００４】
最近では、吸引ポンプを使用しないで化学物質を捕集できるよう、ガス状の化学物質の拡散現象を利用して捕集する拡散サンプラーが利用されている。
例えば、特許文献１には、ケーシングの開口部を側壁などの建材に当接して閉鎖すると共に、そのケーシングの内部に上記した拡散サンプラーを配置して、当該ケーシングの開口部に対向する建材部分から空気中に放散された化学物質を選択的に捕集する方法が開示されている。
【０００５】
【特許文献１】特開２００２−１２２５２１号公報
【発明の開示】
【発明が解決しようとする課題】
【０００６】
しかしながら、上記特許文献１の方法を実施するために提案されている捕集装置は、化学物質の放散速度を算出することを最終目的としているため、棒状の拡散サンプラーをケーシングに一体に形成された幅狭の筒状部に挿入させて当該ケーシングの内部に差し入れる比較的複雑な構造になっており、装置の１つ当たりの製造コストが嵩む。また、捕集作業後にその幅狭の筒状部に吸着してしまった化学物質を洗浄等の後処理により完全に除去するのは簡単ではなく、その化学物質の残留汚染の危険性が出てくる。
的確な発生部位の探索用には、多数の部位に捕集装置を同時に設置して化学物質を捕集することが求められるが、上記した製造コスト面や再利用面を考慮すると、上記したような捕集装置を発生部位の探索用に安易に使用するのは躊躇される。
【０００７】
さらに、ケーシング内で拡散サンプラーは検出部位の平面に対して垂直に吊下げ支持されており、化学物質の発生部位からの放散方向に対して拡散サンプラーの拡散・捕集方向が垂直に交差してしまう。加えて、ケーシングには有る程度の高さが必要になり、その結果開口部の面積に対する高さが相対的に大きくなり、化学物質の発生面積に対して放散空間が大きくなってしまう。
その結果、化学物質の捕集効率が悪くなり、発生部位を探索するのに高精度の微量分析が必要となる。
【０００８】
それ故、本発明は、上記した課題を解決するために、構造が単純で１個当たりの製造コストが嵩まない上後処理も容易で、しかも化学物質の捕集効率が良く発生部位の探索を容易にする、新規且つ有用な探索装置を提供することを目的とする。
【課題を解決するための手段】
【０００９】
上記課題を解決するために、請求項１の発明は、空気中に放散されている化学物質を拡散現象を利用して捕集する棒状の拡散サンプラーと、逆さカップ状をなし下端開口部が検出部位の平面に当接されると内部に三次元閉鎖空間を生成する閉鎖カバーと、前記サンプラーを支持する支持部と前記支持部に接続され前記閉鎖カバーの内面に当接されるベース部を有する支持具と、前記支持具を前記閉鎖カバーの内面に対して当接した状態で固定する固定具とを備えた放散による化学物質の発生部位の探索装置において、前記支持具のベース部と当該ベース部が当接される閉鎖カバー部分は磁性体で構成され、前記固定具は前記閉鎖カバー及び支持具の磁性体との間に磁気吸引作用を発生させる磁性体で構成されており、前記閉鎖カバーの外面と内面の対向する位置に前記固定具と前記支持具がそれぞれ当接されると、磁気吸引作用により前記支持具が前記閉鎖カバーに固定され、しかも前記サンプラーはその軸方向が前記閉鎖カバーの開口部に略平行に支持されることを特徴とする探索装置である。
【００１０】
請求項２の発明は、請求項１に記載した放散による化学物質の発生部位の探索装置において、固定具の磁性体は永久磁石で構成されていることを特徴とする探索装置である。
【００１１】
請求項３の発明は、請求項１または２に記載した放散による化学物質の発生部位の探索装置において、支持具の支持部はベース部から略垂直に下方に延びる２つのアームを含み、サンプラーは前記アームにより着脱自在に吊り下げ支持されることを特徴とする探索装置である。
【００１２】
請求項４の発明は、請求項３に記載した放散による化学物質の発生部位の探索装置において、アームの下端はループ状の吊り下げ用係止部となっており、棒状サンプラーはその係止部に着脱自在に挿通されて係止されることを特徴とする探索装置である。
【発明の効果】
【００１３】
本発明の放散による化学物質の発生部位の探索装置は、構造が単純で１個当たりの製造コストが嵩まない上後処理も容易で、しかも化学物質の捕集効率が良く発生部位の探索を容易にするものである。
【発明を実施するための最良の形態】
【００１４】
本発明の実施の形態に係る放散による化学物質の探索装置１の構造を、図面に従って説明する。
図１は探索装置１の使用時の全体の斜視図を示し、図２は分解斜視図を示す。
符号３は逆カップ状の閉鎖カバーを示し、その本体５は薄肉で背の低い略矩形に一体成型されている。その天井７は略扁平になっており、外縁部分は丸みが付けられている。また、本体５の下端開口部９をなす環状縁は天井７と略平行になっている。サイズ的には、縦横１０ｃｍ程度、高さ４ｃｍ程度である。
本体５は磁性ステンレス鋼材により構成されている。ステンレス鋼材は化学物質が比較的吸着し難いことから利用されている。
符号１１は環状のポリエチレン製パッキンを示す。なお、素材であるポリエチレン材は化学物質の放散が無いため採用されており、化学物質の放散が無ければ他の素材であってもよい。このパッキン１１の断面は略Ｌ形になっており、下面１３は平坦な平面状になっている。パッキン１１の内周側凹部に本体５の下端開口部９の環状縁が着脱自在に内嵌されて環状カバー３をなしている。
【００１５】
符号１５は拡散サンプラー、略してサンプラーを示し、このサンプラー１５は円柱（棒）状をなす外観のカートリッジ式フィルターである。このサンプラー１５は化学物質として主にホルムアルデヒドを捕集することを目的とするものであり、露出している外周部分１７は多孔質膜で構成され、内部にはジニトロフェニルヒドラジン含浸シリカゲル（粒状）が詰められている。また、サンプラー１５の軸方向両端はキャップ１９により封止められている。
なお、上記したカートリッジ式フィルター自体は市販されているものをそのまま使用できる。室内に化学物質が放散されているか否かを測定するために、従来から、室内の適当な場所に一定時間放置するような使い方がなされている。
【００１６】
符号２１は支持具を示し、この支持具２１は金属製のベース部２３と２つのアーム（支持部）２５とが一体に形成されている。
ベース部２３は薄板で帯状に形成されている。
２つのアーム２５は同じ形状に構成されており、ベース部２３の下面の両端付近からそれぞれ下方に垂直に延びており、その下端はループ状の吊り上げ用係止部２７になっている。ベース部２３とアーム２５は半田付けにより連結され一体になっている。
支持具２１のうちベース部２３は鉄材にクロムメッキ処理された磁性体材で構成されている。
【００１７】
符号２９は円板状磁石を示し、この磁石２９は永久磁石で構成されている。永久磁石の磁性は、閉鎖カバー３の本体５を構成する磁性ステンレス鋼材や支持具２１のベース部２３を構成する鉄材に近づくとそれらとの間に磁気吸引作用を発生させるものであればよく、素材の種類は問わない。
【００１８】
次に、探索装置１を使用した発生部位の探索方法を説明する。
先ず、支持具２１のアーム２５のループ状係止部２７にサンプラー１５を挿通させる。サンプラー１５は可撓性を有するので、図３に示すように、キャップ１９を一旦抜いて、サンプラー１５を係止部２７に差し入れた後に再びキャップ１９を嵌めることで、サンプラー１５を支持させる。
支持時にはサンプラー１５はベース部２３から離間した位置に支持されており、サンプラー１５の外周部分１７は全周方向に開放、即ち露出されている。
また、サンプラー１５の軸方向（Ｘ−Ｘ）は支持具２１のベース部２３の長手方向に略平行になっている。
【００１９】
次に、サンプラー１５が支持された状態のまま支持具２１のベース部２３を閉鎖カバー３の本体５の天井７の内面に当接させると共に、そのベース部２３と天井７を介して対向するよう、円板状磁石２９を天井７の外面に当接させる。円板状磁石２９を当接させると、円板状磁石２９の接近による磁気吸引作用の発生により、支持具２１のベース部２３は閉鎖カバー３の本体５の天井７に固定される。
【００２０】
図４は、支持具２１の固定後に閉鎖カバー３を逆さカップ状にして机３１に載置された状態を示す。
この図から明らかなように、載置されただけの状態でも、閉鎖カバー３の下面をなすパッキン１１の下面１３と机３１の上面３３との間に隙間は生じていない。また、サンプラー１５の軸方向（Ｘ−Ｘ）は閉鎖カバー３の下面をなすパッキン１１の下面１３と略平行になっている。即ち、机３１の上面３３に対してサンプラー１５が水平になっている。
【００２１】
上記の作業をした後に、探索対象である化学物質、この実施の形態ではホルムアルデヒド（Ａ）の発生部位と疑われる部位（検出部位）、閉鎖カバー３のパッキン１１の底面１３が当接するよう、設置する。
図５は机３１に設置した例を示す。この例では、不用意に移動するのを避けるために、Ｃ字状の錘３５を閉鎖カバー３上に載せている。
図６は側壁３７に設置した例を示す。この例では、４個の金具３９を使用する。金具３９はベース面の一端部から斜め上方に小片部が立ち上がっており、小片部とベース面との間に谷部が形成されている。金具３９のベース面を図示しない両面テープを介して側壁３７に貼り付け、対向配置された金具３９のそれぞれの谷部に輪ゴム４１を掛け渡して閉鎖カバー３を輪ゴム４１の付勢力を利用して側壁３７側に押し付けることにより固定している。
図７は天井４３に設置した例を示す。この例では、閉鎖カバー３に突っ張り棒のような棒４５を当てて固定している。
いずれの設置態様でも、閉鎖カバー３の金属製の本体５ではなく、プラスチック製のパッキン１１が机３１などに当接するので設置や取り外し時に不用意に机３１などを傷つける恐れはない。
なお、上記の設置例を示す図では、視認上の便宜のために、１個ずつしか探索装置１が設置されていないが、通常は、机、側壁、天井などの適当な部位（平面）に間隔を適当にあけながら多数設置する。
【００２２】
上記した図５から図７のいずれの設置例でも、サンプラー１５の軸方向（Ｘ−Ｘ）は、机３１、側壁３７、天井４３の当接面に対して平行になっている。
上記のように検出部位に閉鎖カバー３が当接されると、図８に示すように、閉鎖カバー３と当接した検出部位４７とにより画定される三次元閉鎖空間４９が形成される。パッキン１１の下面１３と机３１の上面３３などの検出部位の平面は面接触しており、しかも錘２９などの押し付け部材が併用されていることから、この閉鎖区間４９の閉鎖性、即ち気密性は高い。
【００２３】
閉鎖空間４９の局所空気中には検出部位４７からホルムアルデヒド（Ａ）が放散された場合にはその放散されたホルムアルデヒド（Ａ）が浮遊するが、それ以外の部位からホルムアルデヒド（Ａ）が放散されてもその閉鎖空間４９には侵入してこない。
また、ホルムアルデヒド（Ａ）のような化学物質は発生部位の平面から主に垂直に上昇しながら放散していくが、サンプラー１５が検出部位４７の平面に水平に支持されているので、矢印に示すような放散方向と捕集方向（半径）とが一致する。しかも、サンプラー１５の外周部分１７は全周にわたって閉鎖空間４９内に開放されている。従って、閉鎖空間４９内の局所空気に含まれるホルムアルデヒド（Ａ）を歩留まり良く捕集できる。
【００２４】
探索装置１を所定の時間設置して捕集作業を終了すると、サンプラー１５を支持具２１から取り外した後に、定法によりサンプラー１５内からジニトロフェニルヒドラジン含浸シリカゲル（粒状）を取り出し、溶媒によりホルムアルデヒド（Ａ）の抽出操作を行い、ホルムアルデヒド（Ａ）の量を測定し、その量の多かった部位を発生部位と推定することになる。上記の作業により、発生部位の探索作業は終了する。  
一方、閉鎖カバー３の本体５と支持具２１は個々に洗浄・加熱処理を行って吸着した化学物質を除去し、次の捕集作業に備える。閉鎖カバー３の本体５は単純な箱形で凹凸も無く、支持具２１も比較的単純な構造をしており、いずれのサイズも小さい。従って、洗浄や加熱処理は容易である。
【００２５】
以上、本発明の実施の形態について詳述してきたが、具体的構成は、この実施の形態に限られるものではなく、本発明の要旨を逸脱しない範囲における設計の変更などがあっても発明に含まれる。
例えば、サンプラーの種類は捕集目的の化学物質に対応して選択されるものであり、ジニトロフェニルヒドラジン含浸シリカゲル（粒状）カートリッジ以外にも、活性炭カートリッジなど種々のものを利用できる。
【産業上の利用可能性】
【００２６】
化学物質の発生部位を探索するためには、発生部位と思わしき部位毎に装置を設置する必要があり、作業効率を考慮すれば、一度に多数の装置を設置することになる。従って、装置の構成パーツを最小限に抑えて１個当たりのコストを抑えると共に、繰り返し使用できることが求められる。
本発明の探索装置は、上記した求めに答えることができるものである。
また、本発明の探索装置は、サイズも小さく軽量であり、搬送し易く、しかも現場での設置作業や取り外し作業が容易である。
【図面の簡単な説明】
【００２７】
【図１】本発明の実施の形態に係る放散による化学物質の発生部位の探索装置の全体の斜視図である。
【図２】図１の探索装置の分解斜視図である。
【図３】支持具へのサンプラーの取り付け方法の説明図である。
【図４】図１の探索装置の断面図である。
【図５】図１の探索装置の設置例を示す図である。
【図６】図１の探索装置の設置例を示す図である。
【図７】図１の探索装置の設置例を示す図である。
【図８】図１の探索装置による捕集メカニズムの説明図である。
【符号の説明】
【００２８】
１‥‥放散による化学物質の探索装置
３‥‥閉鎖カバー                      ５‥‥本体
７‥‥天井                            ９‥‥開口部                          
１１‥‥パッキン                      １３‥‥下面
１５‥‥拡散サンプラー                １７‥‥外周部分
１９‥‥キャップ                      ２１‥‥支持具
２３‥‥ベース部                      ２５‥‥アーム
２７‥‥吊下げ用係止部                ２９‥‥円板状磁石
３１‥‥机                            ３３‥‥上面
３５‥‥錘                            ３７‥‥側壁
３９‥‥金具                          ４１‥‥輪ゴム
４３‥‥天井                          ４５‥‥棒
４７‥‥検出部位                      ４９‥‥三次元閉鎖空間
Ｘ−Ｘ‥‥サンプラーの軸方向
Ａ‥‥ホルムアルデヒド（放散された化学物質）
【図１】
2008170245.tif 000003
【図２】
2008170245.tif 000004
【図３】
2008170245.tif 000005
【図４】
2008170245.tif 000006
【図５】
2008170245.tif 000007
【図６】
2008170245.tif 000008
【図７】
2008170245.tif 000009
【図８】
2008170245.tif 000010